(57)【要約】【課題】地震時の上からの落下物から、ベッド上の人体を保護するため、地震時、あるいは、故意に遮へい体でベッド上部を覆う、防災ベッドガードを提供する。【解決手段】フレーム（１）の左右に枢着された半円弧状の遮へい体（２）（３）と回転軸（４）（５）を有し、緩衝体付回転ストッパー（６）（７）を有し、回転軸（４）の中央部に有するツメ（１０）と回転軸（５）の中央部に有するツメ（１１）と連結棒（１２）によりリンク連結されたものを有し、回転軸（４）のツメ（１３）と接触するリンク端（１４）にフレームと接続するスプリング（１５）を有し、支点（１６）を介してその反対側端（１７）に鎖などで連結されている頭部が半球状に凹んでいる円筒状台（１８）に座している球状錘（１９）を有し、遮へい体（２）及び（３）の中央部とフレーム端点と連結されたガススプリング（８）及びスプリング（９）を有し、リンク端（１７）にガイド（２０）を経て連結されているロープ状（２１）のものを設けたことを特徴とする。【選択図】　　　図２
2004008757.tif 000002
【特許請求の範囲】
【請求項１】
フレーム（１）の左右に枢着された半円弧状の遮へい体（２）（３）と回転軸（４）（５）を有し、緩衝体付回転ストッパー（６）（７）を有し、遮へい体（２）（３）の中央部とフレーム（１）端点と連結されたガススプリング（８）を有した防災ベッドガード。
【請求項２】
フレーム（１）の左右に枢着された半円弧状の遮へい体（２）（３）と回転軸（４）（５）を有し、緩衝体付回転ストッパー（６）（７）を有し、回転軸（４）の中央部に有するツメ（１０）と回転軸（５）の中央部に有するツメ（１１）と連結棒（１２）によりリンク連結されたものを有し、回転軸（４）のツメ（１３）と接触するリンク端（１４）にフレームと接続するスプリング（１５）を有し、支点（１６）を介してその反対側端（１７）に鎖などで連結されている頭部が半球状に凹んでいる円筒状台（１８）に座している球状錘（１９）を有し、遮へい体（２）及び（３）の中央部とフレーム端点と連結されたガススプリング（８）及びスプリング（９）を有し、リンク端（１７）にガイド（２０）を経て連結されているロープ状（２１）のものを有する請求項１の防災ベッドガード。
【請求項３】
フレーム（１）の左右に枢着された半円弧状の遮へい体（２）（３）と回転軸（４）（５）を有し、緩衝体付回転ストッパー（６）（７）を有し、回転軸（４）の中央部に有するツメ（１０）と回転軸（５）の中央部に有するツメ（１１）と連結棒（１２）によりリンク連結されたものを有し、遮へい体（２）及び（３）の中央部とフレーム端点と連結されたオイルシリンダー（２２）及びスプリング（９）を有し、地震センサー（２３）とバッテリー（２４）とバルブ（２５）間を配線され、オイルシリンダー（２２）とバルブ（２５）と逆止弁（２７）と配管されたものを有する請求項１の防災ベッドガード。
【発明の詳細な説明】
【０００１】
【発明の属する技術分野】
この発明は、地震時の落下物からのベッド上の人体の保護に関するものである。
【０００２】
【従来の技術】
従来のベッドには地震時、人体上部からの落下物などから人体を護るものはなかった。
【０００３】
【発明が解決しょうとする課題】
東海地震など予測されているが、木造家屋の倒壊からベッド上の人体を護るものが無い。
ベッド上を遮へいするだけでは、常時遮へい体がベッド回りに設置されており、使用者及び看護などを行う人の行動を束縛し、又その狭い空間が不快感を与え、居心地が悪いものとなる。
このため、就眠時などの手動遮へい、あるいは、地震時の自動遮へいの有する防災ベッドガードが要望される。
（イ）木造家屋の部屋の大きさにマッチするようなおおきさ。
（ロ）落下物の衝撃を吸収やわらげ、遮へい空間で人体を護る。
（ハ）家屋への搬入組み立てが容易なもの。
（ニ）就眠前など意志によって作動させ遮へいする構造のもが無い。
（ホ）地震時のみベッド上を自動遮へいする構造のものが無い。
（ヘ）常時使用でも遮へい体の圧迫感が軽減できるもの。
本発明は、これらの欠点を除く為に、又、このようなものが無いためになされたものである。
【０００４】
【課題を解決するための手段】
請求項１については、
フレーム（１）の左右に枢着された半円弧状の遮へい体（２）（３）と回転軸（４）（５）を有し、緩衝体付回転ストッパー（６）（７）を有し、遮へい体（２）（３）の中央部とフレーム（１）端点と連結されたガススプリング（８）を設ける。
【０００５】
請求項２については、
フレーム（１）の左右に枢着された半円弧状の遮へい体（２）（３）と回転軸（４）（５）を有し、緩衝体付回転ストッパー（６）（７）を有し、回転軸（４）の中央部に有するツメ（１０）と回転軸（５）の中央部に有するツメ（１１）と連結棒（１２）によりリンク連結されたものを有し、回転軸（４）のツメ（１３）と接触するリンク端（１４）にフレームと接続するスプリング（１５）を有し、支点（１６）を介してその反対側端（１７）に鎖などで連結されている頭部が半球状に凹んでいる円筒状台（１８）に座している球状錘（１９）を有し、遮へい体（２）及び（３）の中央部とフレーム端点と連結されたガススプリング（８）及びスプリング（９）を有し、リンク端（１７）にガイド（２０）を経て連結されているロープ状（２１）のものを設ける。
【０００６】
請求項３については、
フレーム（１）の左右に枢着された半円弧状の遮へい体（２）（３）と回転軸（４）（５）を有し、緩衝体付回転ストッパー（６）（７）を有し、回転軸（４）の中央部に有するツメ（１０）と回転軸（５）の中央部に有するツメ（１１）と連結棒（１２）によりリンク連結されたものを有し、遮へい体（２）及び（３）の中央部とフレーム端点と連結されたオイルシリンダー（２２）及びスプリング（９）を有し、地震センサー（２３）とバッテリー（２４）とバルブ（２５）間を配線され、オイルシリンダー（２２）とバルブ（２５）と逆止弁（２７）と配管されたものを設ける。
本発明は、以上のような構成よりなる防災ベッドガードである。
【０００７】
【発明の実施の形態】
以下、本発明の実施の形態について説明する。
１）フレーム（１）の左右に枢着された半円弧状の遮へい体（２）（３）と回転軸（４）（５）を有し、緩衝体付回転ストッパー（６）（７）を有し、遮へい体（２）（３）の中央部とフレーム（１）端点と連結されたガススプリング（８）を設ける。
本発明は以上のような構造で、これを使用するときは、
既存のベッドをこのフレーム（１）に乗せあるいは遮へい体（２）（３）の回転軸（４）（５）の外側に挿入し、就眠する時、遮へい体（２）（３）を中央側に手で倒し遮へい空間を作る。遮へい空間が不要の時は遮へい体（２）（３）を手で外側に開く。
【０００８】
２）遮へいを自動で行う時は、
フレーム（１）の左右に枢着された半円弧状の遮へい体（２）（３）と回転軸（４）（５）を有し、緩衝体付回転ストッパー（６）（７）を有し、回転軸（４）の中央部に有するツメ（１０）と回転軸（５）の中央部に有するツメ（１１）と連結棒（１２）によりリンク連結されたものを有し、回転軸（４）のツメ（１３）と接触するリンク端（１４）にフレームと接続するスプリング（１５）を有し、支点（１６）を介してその反対側端（１７）に鎖などで連結されている頭部が半球状に凹んでいる円筒状台（１８）に座している球状錘（１９）を有し、遮へい体（２）及び（３）の中央部とフレーム端点と連結されたガススプリング（８）及びスプリング（９）を有し、リンク端（１７）にガイド（２０）を経て連結されているロープ状（２１）のものを設ける。
これを使用するときは、
１）と同じように、既製ベッドを設置して、左右の遮へい体（２）（３）を外側に開らく。回転軸（４）のツメ（１３）がリンク端（１４）に制動され遮へい体（２）（３）は静止する。
地震時、球状錘（１９）が円筒状台（１８）より落下移動して、
リンク端（１７）を下側に引き、リンク端（１４）を上方に動かせ、回転軸（４）のツメ（１３）の制動を解除し、遮へい体（２）がスプリング（９）の伸縮力とガススプリング（８）の制動によりスムースにベッド中央へ回転する、と同時に、回転軸（４）のツメ（１０）が回転して、連結棒（１２）に連動している回転軸（５）が回転させられ、遮へい体（３）もベッド中央へ回転することにより、遮へい空間を生じさせる。
球状錘（１９）の復帰は、ロープ状のもの（２１）の一端を引き、錘を円筒状台（１８）の頭部に乗せる。
又、故意に操作したい場合は、ロープ状（２１）の反対端を引くとリンク端（１４）が動き、ツメ（１３）の制動を解除して左右の遮へい体（２）（３）が可動して、遮へい空間を生じさせる。
【０００９】
３）フレーム（１）の左右に枢着された半円弧状の遮へい体（２）（３）と回転軸（４）（５）を有し、緩衝体付回転ストッパー（６）（７）を有し、回転軸（４）の中央部に有するツメ（１０）と回転軸（５）の中央部に有するツメ（１１）と連結棒（１２）によりリンク連結されたものを有し、遮へい体（２）及び（３）の中央部とフレーム端点と連結されたオイルシリンダー（２２）及びスプリング（９）を有し、地震センサー（２３）とバッテリー（２４）とバルブ（２５）間を配線され、オイルシリンダー（２２）とバルブ（２５）と逆止弁（２７）と配管されたものを設ける。
これを使用するときは、１）と同じように、既製ベッドを設置して、左右の遮へい体（２）（３）を外側に開く。この時、オイルシリンダーのピストン（２２）の両側をつなぐ逆止弁（２７）を有するバイパスにオイルがながれ、スムースな動きとなる。
ストッパー（６）（７）により遮へい体の開きがとまる。
地震時、地震感知器（２３）より電気信号がバルブ（２５）に伝わり、オイルシリンダー（２２）のオイルがバルブ（２５）の開閉と、スプリング（９）の収縮力によりシリンダー基部に流れ、遮へい体（２）（３）が中央部へ可動して遮へい空間を生じさせる。
使用者が故意に作動させるには、バルブ（２５）に接続されているスイッチ（２８）を作動させれば、バルブ（２５）を介して、オイルシリンダー（２２）のオイルが、スプリング（９）の伸縮力によりシリンダー基部に流れ、遮へい体（２）（３）が中央部へ可動して遮へい空間を生じさせる。
【００１０】
【発明の効果】
１）請求項１の効果
就眠前に手動で、左右の遮へ空間を閉じておけば、地震時に安全である。
遮へい体が半円弧状のため、少ない動きでドーム状にすぼんで、ベッド上部を遮へいして落下物を受け止め、緩衝体付回転ストッパーの緩衝体で衝撃を減衰吸収、ベッド上の人体を護る。
遮へい体は、常時開いており、ベッド上から室内天井まで見上げることが出来、開放感があり居心地が良い。
人体の左右には遮へい体が無く、見通しが効き、居心地が良い。
又、看護などの付き人の作業が容易である。
被覆材などで遮へい体を覆うことにより、美観が良くなり、居心地も良くなる。遮へい体被覆にはレース状布等を使用することにより、透け、空間が広がり、圧迫感が少なくなり、居心地が良くなる。
【００１１】
２）請求項２の効果
地震時には、錘による感知機構が作動して、遮蔽体の回転軸のつめを外し、スプリングで両方の遮へい体が自動的にドーム状にすぼんで、ベッド上部を遮へいして、落下物を受け止め、ベッド上の人体を護る。
感知機構が錘式のため、異常時の停電、電池切り等に影響されず確実に作動する。他、前項のような効果がある。
【００１２】
３）請求項３の効果
地震感知機構が電気式で、オイルシリンダー操作バルブが電気式により、実際の地震発生前の警報信号から受信、遮へい体の作動へとつながる。他、前々項のような効果がある。
【図面の簡単な説明】
【図１】本発明（請求項１）の斜視図である。
【図２】本発明（請求項２）の斜視図である。
【図３】本発明（請求項３）の斜視図である。
【図４】本発明の使用状態を示す斜視図である。
【図５】本発明の外観正面図、平面図
【符号の説明】
１フレーム
２遮へい体
３遮へい体
４回転軸
５回転軸
６回転ストッパー
７回転ストッパー
８ガススプリング
９スプリング
１０ツメ
１１ツメ
１２連結棒
１３ツメ
１４リンク端点
１５スプリング
１６支点
１７リンク端点
１８円筒状台
１９球状錘
２０ガイド
２１ロープ状のもの
２２オイルシリンダー
２３地震感知器
２４電池
２５バルブ
２６ピストン
２７逆止弁
２８スイッチ
２９既製ベッド
【図１】
2004008757.tif 000003
【図２】
2004008757.tif 000004
【図３】
2004008757.tif 000005
【図４】
2004008757.tif 000006
【図５】
2004008757.tif 000007